(57)【特許請求の範囲】
【請求項１】
外装ケースと蓋部材を備える電池缶内に、正極板と負極板とをセパレータを介して複数層積層した電極群を具備する蓄電要素を、複数一体に収容し電解液を充填した二次電池であって、
前記外装ケースの同一平面上に、複数の前記蓄電要素を所定間隔離間して並設し、それぞれの前記蓄電要素に対応する正負の外部端子をそれぞれ設けたことを特徴とする二次電池。
【請求項２】
前記所定間隔は、前記電解液の流動性を阻害しない程度の幅とされることを特徴とする請求項１に記載の二次電池。
【請求項３】
並設される前記蓄電要素同士が電気的に絶縁されていることを特徴とする請求項１または２に記載の二次電池。
【請求項４】
並設される前記蓄電要素同士の間に、所定幅の絶縁部材からなるスペーサを配設したことを特徴とする請求項１から３のいずれかに記載の二次電池。
【請求項５】
並設される前記蓄電要素同士の間、および、各蓄電要素と前記電池缶の内壁との間に、所定厚みの絶縁部材からなるスペーサを配設したことを特徴とする請求項１から３のいずれかに記載の二次電池。
【請求項６】
前記蓄電要素の上面側と下面側とに前記スペーサを介装し、これらの上下のスペーサを介して前記蓄電要素を圧接状態に挟持することを特徴とする請求項５に記載の二次電池。
【請求項７】
前記蓄電要素は、長辺部と短辺部を有する矩形の活物質領域を備え、該活物質領域は、前記長辺部の端部から前記短辺の二等分線までの距離が１００ｍｍ以下に形成されていることを特徴とする請求項１から６のいずれかに記載の二次電池。
【請求項８】
前記外部端子に電圧検出線を接続し、それぞれの前記蓄電要素の電池容量を確認可能としたことを特徴とする請求項１から７のいずれかに記載の二次電池。
【請求項９】
請求項１から８のいずれかに記載された二次電池の制御システムであって、前記二次電池が備える複数の蓄電要素にそれぞれ設ける外部端子と外部機器とを電気的に接続する接続部と、該接続部の切り替えの制御と、前記外部端子に接続する電圧検出線を介して前記蓄電要素の出力電圧を認識して当該蓄電要素の異常を検知する機能を有する制御部と、を設け、前記制御部が異常を検知したときに、当該蓄電要素の接続部を電気的に切り離すことを特徴とする二次電池の制御システム。
【請求項１０】
請求項１から８のいずれかに記載された二次電池のリースシステムであって、前記二次電池が備える複数の蓄電要素にそれぞれ設ける外部端子と外部機器とを電気的に接続する接続部と、該接続部の切り替えの制御と、前記外部端子に接続する電圧検出線を介して前記蓄電要素の出力電圧を認識して当該蓄電要素の異常を検知する機能を有する制御部と、該接続部に接続されインターネット網と通信可能とされる通信部とを設け、前記制御部が異常を検知したときに、前記通信部を介して、当該二次電池の使用者にその異常情報を通知すると同時に、前記インターネット網を経由して当該二次電池の管理会社にその異常情報および管理情報を通知することを特徴とする二次電池のリースシステム。
【発明の詳細な説明】
【技術分野】
【０００１】
本発明は、二次電池に関し、特に、正極板と負極板を複数層積層した積層型の二次電池、この二次電池の制御システム、および、この二次電池のリースシステムに関する。
【背景技術】
【０００２】
近年、高エネルギー密度を有し小型軽量化が可能であることからリチウム二次電池が、携帯電話やノート型パソコン等の携帯型電子機器の電源用電池として用いられている。また、大容量化が可能であることから、電気自動車（ＥＶ）やハイブリッド電気自動車（ＨＥＶ）等のモータ駆動電源や、電力貯蔵用蓄電池としても注目されてきている。
【０００３】
上記リチウム二次電池は、電池缶を構成する外装ケース内部に正極板と負極板とをセパレータを挟んで対向配置した電極群を収納し、電解液を充填し、複数の正極板の正極集電タブに連結される正極集電リードと、この正極集電リードと電気的に接続される正極外部端子と、複数の負極板の負極集電タブに連結される負極集電リードと、この負極集電リードと電気的に接続される負極外部端子を備えた構成とされる。
【０００４】
また、電極群としては、巻回型と積層型が知られている。巻回型の電極群は、正極板と負極板との間にセパレータを介装して一体に巻回した構成であり、積層型の電極群は、正極板と負極板とをセパレータを介して複数層積層した構成である。
【０００５】
積層型の電極群を備えるリチウム二次電池においては、正極板と負極板とをセパレータを介して複数層積層した電極群を外装ケースに収容し、非水電解液で充填した構成とされ、それぞれの正極板の正極集電タブに連結される正極集電リードと、この正極集電リードと電気的に接続される外部端子、および、負極板の負極集電タブに連結される負極集電リードと、この負極集電リードと電気的に接続される外部端子がそれぞれ設けられている。
【０００６】
そのために、通常の二次電池は、一つの電池缶に一つの電極群を収容し、正極外部端子と負極外部端子とがそれぞれ１個設けられている。また、大容量の二次電池を作製するためには、同一の正負極材料を用いた場合は、正極板および負極板の面積を大きくする、単位面積当りの塗工量を増やす、積層数を増加させる、活物質量に合わせて充填する電解液量も増加させるなどが必要である。
【０００７】
しかし、大きなサイズの電池缶に１セットの蓄電要素（電極群と集電リードとを含む発電・蓄電部）を備える構成では、積層体作製中に異物混入が起こった場合に、一枚の集電体上に大面積の活物質領域が形成されていると、短絡などによる材料ロスが多くなってしまう。
【０００８】
また、一定以上の面積になると、従来の注液・含浸方法では、中央部に電解液が充填されるまで時間がかかり好ましくない。また、電解液が浸み込み易くするために高真空にして真空注液を行う場合は、所定の真空度に達するまでの時間が長くなると共に、設備費用が高くなってしまう問題が生じる。
【０００９】
また、小型化を目指しながら大容量化を図るために、蓄電要素（発電要素）を上下二段に重ねたスタック型の電池が知られている（例えば、特許文献１参照）。
【先行技術文献】
【特許文献】
【００１０】
【特許文献１】特開２００３−２５７４０８号公報
【発明の概要】
【発明が解決しようとする課題】
【００１１】
蓄電要素の大容量化を図るために、積層型の電極群の平面積を大きくすると、搬送の際に撓んでしまいハンドリング性に問題が生じる。ハンドリング性が悪くなると、短絡などにより歩留まりが悪化し、材料ロスの原因となって、製造コストが増加するので好ましくない。
【００１２】
また、所定大きさの蓄電要素を重ね合わせて、共通の電池缶に複数の蓄電要素を組み込む構成として大容量化を図ることは可能である。しかし、単に重ね合わせるだけでは、電極群の中央部まで電解液を浸透させる時間が長くなったり、中央部まで充分に浸透させることができなくなったりする問題が生じる。
【００１３】
そのために、複数の電極群を共通の電池缶に組み込む際には、単一の電極群に電解液が浸透する程度の時間で、複数の電極群の全てに電解液が浸透可能な構成が好ましい。また、それぞれの蓄電要素の有効利用を図るためには、それぞれの電極群にそれぞれ外部端子を設けて、それぞれ個別にも、直列に接続して同時にも、使用可能な構成であり制御システムであることが好ましい。
【００１４】
また、家庭用の電力貯蔵用蓄電池として用いる場合には、それぞれの蓄電要素の不具合情報を直ちに報告することで、複数の蓄電要素を備える二次電池の管理を容易とし、使い勝手の良い二次電池のリースシステムを構築することが求められる。
【００１５】
そこで本発明は、上記問題点に鑑み、複数の蓄電要素を備えた二次電池であっても、製造コストを低減し、それぞれの蓄電要素が有する電極群の内部まで電解液を速やかに浸透させることができ、使い勝手がよく利便性の高い二次電池を提供し、複数の蓄電要素を効率よく使用可能とする二次電池の制御システムを提供し、使い勝手がよく利便性の高い二次電池のリースシステムを提供することを目的とする。
【課題を解決するための手段】
【００１６】
上記目的を達成するために本発明は、電池缶内に、正極板と負極板とをセパレータを介して複数層積層した電極群を具備する蓄電要素を、複数一体に収容し電解液を充填した二次電池であって、前記電池缶を構成する外装ケースの同一平面上に、複数の前記蓄電要素を所定間隔離間して並設し、それぞれの前記蓄電要素に対応する正負の外部端子をそれぞれ設けたことを特徴としている。
【００１７】
この構成によると、複数の蓄電要素を外装ケースの同一平面上に所定間隔離間して並設しているので、厚み方向に厚くならず、複数の電極群に電解液を同時に浸透させることができ注液コストを低減することができる。また、複数の蓄電要素を合わせて大面積の電極を構成するので、それぞれの蓄電要素のハンドリング性が良好となって短絡などの弊害が生じる確率が低減することと併せて製造コストを低減することができる。さらに、複数の蓄電要素にそれぞれ正負の外部端子を設けているので、使い勝手がよく利便性の高い二次電池を得ることができる。
【００１８】
また本発明は上記構成の二次電池において、前記所定間隔は、前記電解液の流動性を阻害しない程度の幅とされることを特徴としている。この構成によると、複数の電極群を同一平面上に並設した構成であっても、それぞれの電極群に電解液を同時に浸透させることができ、電池缶に電解液を充填する時間を短縮することができる。
【００１９】
また本発明は上記構成の二次電池において、並設される前記蓄電要素同士が電気的に絶縁されていることを特徴としている。この構成によると、同一の電池缶内に同じ電解液が充填された構成であっても、隣り合う蓄電要素同士が影響を及ぼし合うことなく、それぞれ個別の蓄電要素として用いることができる。
【００２０】
また本発明は上記構成の二次電池において、並設される前記蓄電要素同士の間に、所定幅の絶縁部材からなるスペーサを配設したことを特徴としている。この構成によると、隣り合う蓄電要素を確実に絶縁状態に維持することができる。
【００２１】
また本発明は上記構成の二次電池において、並設される前記蓄電要素同士の間、および、各蓄電要素と前記電池缶の内壁との間に、所定厚みの絶縁部材からなるスペーサを配設したことを特徴としている。この構成によると、それぞれの蓄電要素を個別に、また、電池缶に対して、確実に絶縁状態に維持することができる。
【００２２】
また本発明は上記構成の二次電池において、前記蓄電要素の上面側と下面側とに前記スペーサを介装し、これらの上下のスペーサを介して前記蓄電要素を圧接状態に挟持することを特徴としている。この構成によると、絶縁部材からなるスペーサを介して蓄電要素を押し付けることで、電極同士の密着距離を所定の密着距離に維持して、所定の電池容量を維持することができる。
【００２３】
また本発明は上記構成の二次電池において、前記蓄電要素は、長辺部と短辺部を有する矩形の活物質領域を備え、該活物質領域は、前記長辺部の端部から前記短辺の二等分線までの距離が１００ｍｍ以下に形成されていることを特徴としている。この構成によると、大面積の電極群を構成する際に、一個の蓄電要素の大きさを、長辺部の端部から短辺の二等分線までの距離を１００ｍｍ以下とすることで、電極群の中央部に電解液が浸透する時間が長くなり過ぎることを抑制し、電極群の内部まで電解液を速やかに浸透させることができる。
【００２４】
また本発明は上記構成の二次電池において、前記外部端子に電圧検出線を接続し、それぞれの前記蓄電要素の電池容量を確認可能としたことを特徴としている。この構成によると、複数の蓄電要素を同一の電池缶内に収容した構成であっても、それぞれの外部端子に接続する電圧検出線を介して、各蓄電要素の電池容量を個別に確認して、それぞれの蓄電要素が正常であるか否かを検知することができる。
【００２５】
また本発明は、請求項１から８のいずれかに記載された二次電池の制御システムであって、前記二次電池が備える複数の蓄電要素にそれぞれ設ける外部端子と外部機器とを電気的に接続する接続部と、該接続部の切り替えの制御と、前記外部端子に接続する電圧検出線を介して前記蓄電要素の出力電圧を認識して当該蓄電要素の異常を検知する機能を有する制御部と、を設け、前記制御部が異常を検知したときに、当該蓄電要素の接続部を電気的に切り離すことを特徴としている。
【００２６】
この構成によると、制御部を介して、各蓄電要素の正常・異常を確認することができ、異常と確認された蓄電要素を切り離すことで、所定の電池容量を発揮する正常な蓄電要素のみを使用することができて、安定した電池容量を得る制御を行うことが可能となる。そのために、複数の蓄電要素を効率よく使用可能とする二次電池の制御システムを得ることができる。
【００２７】
また本発明は、請求項１から８のいずれかに記載された二次電池のリースシステムであって、前記二次電池が備える複数の蓄電要素にそれぞれ設ける外部端子と外部機器とを電気的に接続する接続部と、該接続部の切り替えの制御と、前記外部端子に接続する電圧検出線を介して前記蓄電要素の出力電圧を認識して当該蓄電要素の異常を検知する機能を有する制御部と、該接続部に接続されインターネット網と通信可能な通信部とを設け、前記制御部が異常を検知したときに、前記通信部を介して、当該二次電池の使用者にその異常情報を通知すると同時に、前記インターネット網を経由して当該二次電池の管理会社にその異常情報および管理情報を通知することを特徴としている。この構成によると、二次電池に不具合が生じて規定容量以下となった情報を使用者（ユーザー）に伝えると同時に、二次電池管理会社に伝えることで、管理が容易となって、使い勝手がよく利便性の高い二次電池のリースシステムを構築することができる。
【発明の効果】
【００２８】
本発明によれば、外装ケースの同一平面上に、複数の蓄電要素を所定間隔離間して並設し、それぞれの蓄電要素に対応する正負の外部端子をそれぞれ設けた構成としたので、複数の蓄電要素を備えた二次電池であっても、製造コストを低減し、それぞれの蓄電要素が有する電極群の内部まで電解液を速やかに浸透させることができ、使い勝手がよく利便性の高い二次電池を得ることができる。また、外部端子に接続した電圧検出線を介してそれぞれの蓄電要素の異常を検知して、電気的に切り離す制御を行うことで、複数の蓄電要素を効率よく使用可能とする二次電池の制御システムを得ることができる。また、インターネット網を介して、不具合が生じた二次電池の情報を管理会社に直ちに伝えるリースシステムとすることで、管理が容易となって、使い勝手がよく利便性の高い二次電池のリースシステムを構築することができる。
【図面の簡単な説明】
【００２９】
【図１】本発明に係る二次電池の第一実施形態を示す概略平面図である。
【図２】本発明に係る二次電池の第二実施形態を示す概略平面図である。
【図３Ａ】本発明に係る二次電池の第三実施形態を示す概略平面図である。
【図３Ｂ】本発明に係る二次電池の第四実施形態を示す概略側面図である。
【図４Ａ】実施例１の電極群を示す概略説明図である。
【図４Ｂ】比較例１の電極群を示す概略平面図である。
【図５】本発明に係る二次電池の第五実施形態を示す概略平面図である。
【図６】二次電池の分解斜視図である。
【図７】二次電池が備える電極群の分解斜視図である。
【図８】二次電池の完成品を示す斜視図である。
【図９】電極群の概略断面図である。
【図１０Ａ】実施例Ａ１の制御システムを示す概略説明図である。
【図１０Ｂ】比較例Ｂ１の制御システムを示す概略説明図である。
【図１０Ｃ】比較例Ｂ２の制御システムを示す概略説明図である。
【図１０Ｄ】比較例Ｂ３の制御システムを示す概略説明図である。
【図１１Ａ】容量保持率８０％で切り離し制御を行ったサイクル特性を示す。
【図１１Ｂ】容量保持率７０％で切り離し制御を行ったサイクル特性を示す。
【図１１Ｃ】容量保持率６０％で切り離し制御を行ったサイクル特性を示す。
【図１２】注液時間を比較したインピーダンス測定結果を示す。
【図１３】二次電池のリースシステムの概要を示すブロック図である。
【発明を実施するための形態】
【００３０】
以下に本発明の実施形態を図面を参照して説明する。また、同一構成部材については同一の符号を用い、詳細な説明は適宜省略する。
【００３１】
本発明に係る二次電池としてリチウム二次電池について説明する。例えば、図１に示す本実施形態に係るリチウム二次電池ＲＢ１は、積層型の二次電池であって、電池缶１０内に、正極板と負極板とをセパレータを介して複数層積層した積層型の電極群１（１Ａ、１Ｂ）を複数備えた構成である。また、それぞれの電極群の極板の面積を大きくし、積層数を増やすことで比較的大容量の二次電池となり、電気自動車用蓄電池や電力貯蔵用蓄電池などに適用可能なものである。
【００３２】
また、電極群１Ａ、１Ｂはそれぞれ別の外部端子に接続されており、電極群１Ａの正極集電リード５Ａａと負極集電リード５Ａｂは、それぞれ正極外部端子６Ａａ、負極外部端子６Ａｂに接続し、電極群１Ｂの正極集電リード５Ｂａと負極集電リード５Ｂｂは、それぞれ正極外部端子６Ｂａ、負極外部端子６Ｂｂに接続している。
【００３３】
次に、積層型のリチウム二次電池ＲＢと電極群１の具体的な構成について、図６〜図９を用いて説明する。
【００３４】
図６に示すように、積層型のリチウム二次電池ＲＢは平面視矩形とされ、それぞれが矩形とされる正極板と負極板とセパレータとを積層した電極群１を備えている。また、底部１１ａと側部１１ｂ〜１１ｅを備えて箱型とされる外装ケース１１と蓋部材１２とから構成される電池缶１０に収容して、外装ケース１１の側面（例えば、側部１１ｂ、１１ｃの対向する二側面）に設ける外部端子１１ｆ（前述した正極外部端子６Ａａ、６Ｂａ、負極外部端子６Ａｂ、６Ｂｂに相当）から充放電を行う構成としている。
【００３５】
電極群１は、正極板と負極板とをセパレータを介して複数層積層した構成であって、図７に示すように、正極集電体２ｂ（例えば、アルミニウム箔）の両面に正極活物質からなる正極活物質層２ａが形成された正極板２と、負極集電体３ｂ（例えば、銅箔）の両面に負極活物質からなる負極活物質層３ａが形成された負極板３とがセパレータ４を介して積層されている。
【００３６】
セパレータ４により、正極板２と負極板３との絶縁が図られているが、外装ケース１１に充填される電解液を介して正極板２と負極板３との間でリチウムイオンの移動が可能となっている。
【００３７】
ここで、正極板２の正極活物質としては、リチウムが含有された酸化物（ＬｉＣｏＯ2，ＬｉＮｉＯ2，ＬｉＦｅＯ2，ＬｉＭｎＯ2，ＬｉＭｎ2Ｏ4など）や、その酸化物の遷移金属の一部を他の金属元素で置換した化合物などが挙げられる。なかでも、通常の使用において、正極板２が保有するリチウムの８０％以上を電池反応に利用し得るものを正極活物質として用いれば、過充電などの事故に対する安全性を高めることができる。このような正極活物質としては、例えば、ＬｉＭｎ2Ｏ4のようなスピネル構造を有する化合物、および、ＬｉＭＰＯ4（Ｍは、Ｃｏ、Ｎｉ、Ｍｎ、Ｆｅから選択される少なくとも１種以上の元素）で表されるオリビン構造を有する化合物などが挙げられる。なかでも、ＭｎおよびＦｅの少なくとも一方を含む正極活物質がコストの観点から好ましい。さらに、安全性の観点からは、ＬｉＦｅＰＯ4を用いるのが好ましい。
【００３８】
また、負極板３の負極活物質としては、リチウムが含有された物質やリチウムの挿入／離脱が可能な物質が用いられる。特に、高いエネルギー密度を持たせるためには、リチウムの挿入／離脱電位が金属リチウムの析出／溶解電位に近いものを用いるのが好ましい。その典型例は、粒子状（鱗片状、塊状、繊維状、ウィスカー状、球状および粉砕粒子状など）の天然黒鉛もしくは人造黒鉛である。
【００３９】
なお、正極板２の正極活物質に加えて、また、負極板３の負極活物質に加えて、導電材、増粘材および結着材などが含有されていてもよい。導電材は、正極板２や負極板３の電池性能に悪影響を及ぼさない電子伝導性材料であれば特に限定されず、例えば、カーボンブラック、アセチレンブラック、ケッチェンブラック、グラファイト（天然黒鉛、人造黒鉛）、炭素繊維などの炭素質材料や導電性金属酸化物などを用いることができる。
【００４０】
増粘材としては、例えば、ポリエチレングリコール類、セルロース類、ポリアクリルアミド類、ポリＮ−ビニルアミド類、ポリＮ−ビニルピロリドン類などを用いることができる。結着材は、活物質粒子および導電材粒子を繋ぎとめる役割を果たすものであり、ポリフッ化ビニリデン、ポリビニルピリジン、ポリテトラフルオロエチレンなどのフッ素系ポリマーや、ポリエチレン、ポリプロピレンなどのポリオレフィン系ポリマーや、スチレンブタジエンゴムなどを用いることができる。
【００４１】
また、セパレータ４としては、微多孔性の高分子フィルムを用いることが好ましい。具体的には、ナイロン、セルロースアセテート、ニトロセルロース、ポリスルホン、ポリアクリロニトリル、ポリフッ化ビニリデン、ポリプロピレン、ポリエチレン、ポリブテンなどのポリオレフィン高分子からなるフィルムが使用可能である。
【００４２】
また、電解液としては、有機電解液を用いることが好ましい。具体的には、有機電解液の有機溶媒として、エチレンカーボネート、プロピレンカーボネート、ブチレンカーボネート、ジエチルカーボネート、ジメチルカーボネート、メチルエチルカーボネート、γ―ブチロラクトンなどのエステル類、テトラヒドロフラン、２−メチルテトラヒドロフラン、ジオキサン、ジオキソラン、ジエチルエーテル、ジメトキシエタン、ジエトキシエタン、メトキシエトキシエタンなどのエーテル類、さらに、ジメチルスルホキシド、スルホラン、メチルスルホラン、アセトニトリル、ギ酸メチル、酢酸メチルなどが使用可能である。なお、これらの有機溶媒は、単独で使用してもよいし、２種類以上を混合して使用してもよい。
【００４３】
さらに、有機溶媒には電解質塩が含まれていてもよい。この電解質塩としては、過塩素酸リチウム（ＬｉＣｌＯ4）、ホウフッ化リチウム、六フッ化リン酸リチウム、トリフルオロメタンスルホン酸（ＬｉＣＦ3ＳＯ3）、フッ化リチウム、塩化リチウム、臭化リチウム、ヨウ化リチウムおよび四塩化アルミン酸リチウムなどのリチウム塩が挙げられる。なお、これらの電解質塩は、単独で使用してもよいし、２種類以上を混合して使用してもよい。
【００４４】
電解質塩の濃度は特に限定されないが、約０．５〜約２．５ｍｏｌ／Ｌであれば好ましく、約１．０〜２．２ｍｏｌ／Ｌであればより好ましい。なお、電解質塩の濃度が約０．５ｍｏｌ／Ｌ未満の場合には、電解液中においてキャリア濃度が低くなり、電解液の抵抗が高くなる虞がある。一方、電解質塩の濃度が約２．５ｍｏｌ／Ｌよりも高い場合には、塩自体の解離度が低くなり、電解液中のキャリア濃度が上がらない虞がある。
【００４５】
電池缶１０は、外装ケース１１と蓋部材１２とを備え、鉄、ニッケルメッキされた鉄、ステンレススチール、およびアルミニウムなどからなる。また、本実施形態では、図８に示すように、電池缶１０は、外装ケース１１と蓋部材１２とが組み合わされたときに、外形形状が実質的に扁平角型形状となるように形成されている。
【００４６】
外装ケース１１は、略長方形状の底面を持つ底部１１ａと、この底部１１ａから立設した４面の側部１１ｂ〜１１ｅを有する箱型状とされ、この箱型状内部に電極群１を収容する。電極群１は、正極板の集電タブに連結される正極集電リードと、負極板の集電タブに連結される負極集電リードを備え、これらの集電タブと電気的に接続される外部端子１１ｆが外装ケース１１の側部にそれぞれ設けられている。外部端子１１ｆは、例えば、対向する二側部１１ｂ、１１ｃの二箇所に設けられる。また、１０ａは注液口であって、ここから電解液を注液する。
【００４７】
外装ケース１１に電極群１を収容し、それぞれの集電リードを外部端子に接続した後、蓋部材１２を外装ケース１１の開口縁に固定する。すると、外装ケース１１の底部１１ａと蓋部材１２との間に電極群１が挟持され、電池缶１０の内部において電極群１が保持される。なお、外装ケース１１に対する蓋部材１２の固定は、例えば、レーザ溶接などによってなされる。また、集電リードと外部端子との接続は、超音波溶接やレーザ溶接、抵抗溶接などの溶接以外に、電解液によって侵されない場合は、導電性接着剤などを用いて行うこともできる。
【００４８】
上記したように、本実施形態に係る二次電池ＲＢは、正極板２と負極板３とをセパレータ４を介して複数層積層した電極群１と、この電極群１を収容し電解液が充填される外装ケース１１と、外装ケース１１に設ける外部端子１１ｆと、正負の極板と外部端子１１ｆとを電気的に接続する正負の集電リードと、外装ケース１１に装着される蓋部材１２と、を備えた構成である。
【００４９】
外装ケース１１に収容された電極群１は、例えば、図９に示すように、正極集電体２ｂの両面に正極活物質層２ａが形成された正極板２と、負極集電体３ｂの両面に負極活物質層３ａが形成された負極板３とがセパレータ４を介して積層され、さらに両端面にセパレータ４を配設している。また、両端面のセパレータ４に替えて、このセパレータ４と同じ材質の樹脂フィルムを巻回して、電極群１を絶縁性を有する樹脂フィルムで被覆する構成としてもよい。いずれにしても、積層電極群１の上面は、電解液浸透性および絶縁性を有する部材が積層される構成となる。そのために、この面に直接蓋部材１２を当接させることができ、蓋部材を介して所定の圧で押さえ付けることも可能である。
【００５０】
また、複数の電極群を一つの電池缶内に収容する構成の二次電池では、電極群同士が接触しないように、それぞれを所定の位置に固定しておくことが好ましく、所定間隔離して設置するなどして、電極群同士を電気的に絶縁しておくことが好ましい。
【００５１】
また、複数の電極群を一つの電池缶内に収容する構成であっても、電解液を充填する時間を短縮することが、製造コストを低減するために好ましいので、電解液が流れ易い状態に複数の電極群を配置することが肝要である。次に、複数の電極群１（１Ａ、１Ｂ・・・）を備えた二次電池の構成例について、図１〜図５を用いて説明する。
【００５２】
図１は、二個の電極群１Ａ、１Ｂを備えた二次電池ＲＢ１を示している。また、電極群１Ａは、複数の正極タブを一体に集束した正極集電リード５Ａａに接続される正極外部端子６Ａａと、複数の負極タブを一体に集束した負極集電リード５Ａｂに接続される負極外部端子６Ａｂに、電気的に接続されている。また、電極群１Ｂは、その正極集電リード５Ｂａが正極外部端子６Ｂａに接続され、負極集電リード５Ｂｂが負極外部端子６Ｂｂに接続されている。
【００５３】
つまり、電池缶１０から外に突出して設けられるそれぞれの外部端子を介して、電極群の（すなわち蓄電要素の）充放電を行うことが可能な構成である。また、電極群１Ａ、１Ｂがそれぞれ個別に外部端子を備える構成であるので、各電極群がそれぞれ独立した蓄電要素となる。
【００５４】
そのために、それぞれの蓄電要素を、それぞれ個別にも、直列に接続して同時にも使用可能な構成となって、それぞれの蓄電要素の有効利用を図ることが可能となる。すなわち、使い勝手がよく利便性の高い二次電池を得ることができる。
【００５５】
また、それぞれの蓄電要素同士を電気的に絶縁しておくことが好ましいので、それぞれの電極群同士を所定間隔離間して設置している。また、この離間距離Ｌ１は、電解液を注液する際に、電解液の流動性を阻害しない、電解液が流れ易い離間距離であることが好ましい。
【００５６】
同一の電池缶に収容する蓄電要素は二個以上の複数でもよく、例えば、図２に示すように、ｎ個の蓄電要素を収容した二次電池ＲＢ２とする。この二次電池ＲＢ２はｎ個の蓄電要素を備えているので、電極群１Ａ、１Ｂ、・・・１Ｎのｎ個の電極群と、ｎ×２の外部端子を備えた構成となる。
【００５７】
図に示すように、複数の蓄電要素を同一平面上に配設しているので、電極群の厚み方向に重ならず、電解液の電極群内部への浸透性を阻害せず、それぞれ同時に電解液を浸透させることができる。また、それぞれの電極群間の離間距離を電解液が流れ易い離間距離Ｌ１としておくことで、電極群の内部まで電解液を速やかに浸透させることができる。
【００５８】
この二次電池ＲＢ２は、ｎ個の蓄電要素がｎ個の正極外部端子とｎ個の負極外部端子を備えた構成となるので、それぞれを個別に使用する小電力多様使用型と、直列に連結して同時に使用する大電力単一使用型と、これらの中間の、複数の蓄電要素を組み合わせた、中電力タイプとの複数の用い方が可能である。すなわち、使い勝手がよく利便性の高い二次電池となって好ましい形態となる。
【００５９】
また、並設される蓄電要素同士の間に所定幅のスペーサを介装して、電解液が流れ易い離間距離Ｌ１を維持する構成としてもよい。また、スペーサを介装する際には、このスペーサは絶縁部材であることが好ましい。このように、並設される蓄電要素同士の間に、所定幅の絶縁部材を配設することで、蓄電要素間の短絡を確実に防止すると共に電解液が流れ易い離間距離Ｌ１を維持することができて好ましい。この絶縁部材を介装した一実施形態について図３Ａ、図３Ｂを用いて説明する。
【００６０】
図３Ａに示す二次電池ＲＢ３Ａは、電池缶１０内に、二個の電極群１Ａ、１Ｂを備えた構成であり、これらの電極群間を所定の離間距離Ｌ１に維持するスペーサ７Ａを介装したものである。
【００６１】
スペーサ７Ａは、離間距離Ｌ１に相当する所定幅を有する平板状部材でもよいが、図示するような、所定幅部が凸状に突出する凸型として、電極群１Ａ、１Ｂ間の離間距離だけでなく、電池缶の壁面からの距離も規定する形状が好ましい。この際に、外装ケース１１の底部と接する面に電解液の通り道となる凹部を設けると、電解液を速やかに浸透させることができて好ましい。
【００６２】
また、電池缶１０の四隅にも、スペーサ７Ｂを介装して、電極群１Ａ、１Ｂを電池缶内の所定位置に規定することが好ましい。これらの、スペーサ７Ａ、７Ｂは、いずれも、絶縁部材からなることが好ましい。さらに、絶縁性に加えて、伸縮性と可撓性を備える発泡材からなることがより好ましい。また、これらの、スペーサ７Ａ、７Ｂが一体型であれば、振動などの外力によって、スペーサが個別に移動しないので好ましい。
【００６３】
絶縁部材からなるスペーサ７Ａを介して、電極群１Ａ、１Ｂ同士を電気的に確実に絶縁しておくことができる。また、このスペーサ７Ａと同じく絶縁部材からなるスペーサ７Ｂを介して、電極群１Ａ、１Ｂと電池缶１０との電気的な絶縁を良好に図ることができる。
【００６４】
図３Ｂに示す二次電池ＲＢ３Ｂは、電池缶１０内に、二個の電極群１Ａ、１Ｂを備え、並設される電極群（蓄電要素）の間、および、各電極群と電池缶１０の内壁との間に、所定厚みの絶縁部材からなるスペーサを配設している。また、スペーサとして、電池缶１０を構成する外装ケース１１の電極群載置面に、つまり、蓄電要素の下面側に、スペーサ８Ａを設け、蓋部材１２の下側に、つまり、蓄電要素の上面側に、スペーサ８Ｂを介装して、これらの上下のスペーサを介して蓄電要素を圧接状態に挟持している。
【００６５】
この構成であれば、それぞれの蓄電要素を個別に、また、電池缶に対して、確実に絶縁状態に維持することができる。また、絶縁部材からなるスペーサ８Ａ、８Ｂを介して蓄電要素を押し付けることで、電極同士の密着距離を所定の密着距離に維持して、所定の電池容量を維持することができる。
【００６６】
スペーサ８Ａは、それぞれの蓄電要素の底面部に相当する面積を有する板状でよい。スペーサ８Ｂは、それぞれの蓄電要素の上側に嵌まり込む断面コの字状の枠状とされ、隣り合う蓄電要素にそれぞれスペーサ８Ｂを装着したときに、隣り合う蓄電要素間の離間距離Ｌ１を呈する部材厚みであることが好ましい。
【００６７】
スペーサ８Ｂを嵌め込む深さは、蓄電要素間に、電解液が流れる溝９Ａを形成する程度であればよい。また、電池缶１０の内壁との間にも、電解液が流れる溝９Ｂを形成する形状であることが好ましい。
【００６８】
この構成であれば、複数の蓄電要素を備えた二次電池であっても、それぞれの蓄電要素が有する電極群の内部まで電解液を速やかに浸透させることができて好ましい。
【００６９】
スペーサ７Ａ、７Ｂ、８Ａ、８Ｂは、蓄電要素間および電池缶との絶縁が取れ、蓄電要素を位置固定するだけの機械的強度および電解液に溶け出さない材質であればよく、例えば、ＰＴＦＥ（ポリテトラフルオロエチレン）などを用いることができる。
【００７０】
また、スペーサ７Ａ、７Ｂ、８Ａ、８Ｂは、電解液浸透性を有する素材からなるものであってもよい。電解液浸透性を有する素材からなるものであれば、電極群１（１Ａ、１Ｂ）への電解液の浸透性がさらに良好となる。
【００７１】
次に、本実施形態に係る二次電池であれば、電解液を速やかに浸透させることができることを確認した実験について図４Ａ、図４Ｂを用いて説明する。
【００７２】
図４Ａに示す二次電池ＲＢ４は、本実施形態に係る二次電池の一実施例であって、長手方向×短手方向×深さ、がそれぞれ内寸で、２６６ｍｍ×２３０ｍｍ×５０ｍｍの大きさの電池缶内に、長辺（Ｗ）２００．５ｍｍ×短辺（２Ｈ）１１０ｍｍの矩形の電極群１Ａ、１Ｂを離間距離Ｌ１として５ｍｍ離して二個設置した構成である。この電極群１Ａ、１Ｂの作製手順について以下説明する。
【００７３】
（実施例）
[正極板の作製]
正極活物質としてのＬｉＦｅＰＯ4（９０重量部）と、導電材としてのアセチレンブラック（５重量部）と、結着材としてのポリフッ化ビニリデン（５重量部）と、を混合し、溶媒としてのＮ−メチル−２−ピロリドンを適宜加えて各材料を分散させてスラリーを調製し、このスラリーを正極集電体としてのアルミニウム箔（厚み２０μｍ）の両面上に均一に塗布して乾燥させた後、ロールプレスで圧縮し、所定のサイズで切断して板状の正極板２を作製した。
【００７４】
また、作製した正極板のサイズは、１８５ｍｍ×１０５ｍｍ（未塗工部１５ｍｍ×１０５ｍｍ含む）で、厚みは２３０μｍであって、この正極板２を３２枚用いた。
【００７５】
[負極板の作製]
負極活物質としての天然黒鉛（９０重量部）と、結着材としてのポリフッ化ビニリデン（１０重量部）と、を混合し、溶媒としてのＮ−メチル−２−ピロリドンを適宜加えて各材料を分散させてスラリーを調製し、このスラリーを負極集電体としての銅箔（厚み１６μｍ）の両面上に均一に塗布して乾燥させた後、ロールプレスで圧縮し、所定のサイズで切断して板状の負極板３を作製した。
【００７６】
また、作製した負極板のサイズは、１８７ｍｍ×１１０ｍｍ（未塗工部１４ｍｍ×１１０ｍｍ含む）で、厚みは１４６μｍであって、この負極板２を３３枚用いた。
【００７７】
また、セパレータとして、サイズ１７７ｍｍ×１１０ｍｍで、厚み２５μｍのポリエチレンフィルムを６４枚作製した。
【００７８】
[非水電解液の作製]
エチレンカーボネート（ＥＣ）とジエチルカーボネート（ＤＥＣ）とを、３０：７０の容積比で混合した混合液（溶媒）に、ＬｉＰＦ6を１ｍｏｌ／Ｌ溶解して非水電解液を調整した。
【００７９】
[電池缶の作製]
電池缶を構成する外装ケースおよび蓋部材の材料としては、ＳＵＳ３０４の板を用いてそれぞれ作製した。また、そのいずれもが、厚み０．８ｍｍで、長手方向×短手方向×深さ、がそれぞれ内寸で、２６６ｍｍ×２３０ｍｍ×５０ｍｍの電池缶サイズで、注液口を具備した角型リチウム二次電池を作製した。また、蓋部材を電極群の上面に密着させるために、平板状ではなく、缶の内部に嵌まり込む皿型状の蓋部材を用いる構成とした。皿型状の蓋部材を用いると、蓋部材を溶接する際に動くのを防止できて、溶接作業が容易となる。また、皿型状の落ち込み量を変更することで、収容する電極群の厚みの変化に容易に対応できる。さらに、皿型状であれば、蓋部材の強度、および電池缶の強度を向上することが可能となって好ましい。
【００８０】
[二次電池の組立]
正極板と負極板とをセパレータを介して交互に積層する。その際に、正極板に対して負極板が外側に位置するように、正極版３２枚、負極板３３枚、セパレータ６４枚を積層し、この積層体をセパレータと同じ厚み２５μｍのポリエチレンフィルムを用いて巻回する構成として、電極群１Ａ、１Ｂを構築した。
【００８１】
正負の極板間に介装するセパレータの大きさは前述したように、サイズ１７７ｍｍ×１１０ｍｍであり、正極活物質領域（１７０ｍｍ×１０５ｍｍ）、負極活物質領域（１７３ｍｍ×１１０ｍｍ）よりも少し大きなサイズである。これにより、正極板および負極板に形成された活物質層を確実に被覆することができる。また、正極の集電体露出部および負極の集電体露出部に、集電部材（集電リード）の接続片を接続した。
【００８２】
集電リードを接続した電極群１Ａ、１Ｂを外装ケースに収容し、集電リードと外部端子とをそれぞれ接続し、蓋部材を取り付けて密封し、注液孔から非水電解液を減圧注液した。注液後に、注液孔を封口して、二次電池ＲＢ４を作製した。
【００８３】
図４Ｂに示す二次電池ＲＢ５は、同じ容量の電池缶内に、長辺（Ｗ）２００．５ｍｍ×短辺（４Ｈ）２２０ｍｍの矩形の電極群１ＡＢを一個設置した構成の比較例である。なお、それぞれの電極群を構成する正極板、負極板、セパレータの材質や厚みや積層枚数は同じであり、積層厚みは同一としている。ただ、面積が二倍となっている点が異なる。
【００８４】
上記したように、実施例として用いた蓄電要素は、長辺Ｗが２００．５ｍｍで短辺２Ｈが１１０ｍｍの矩形とされる。そのために、本実施形態に係る蓄電要素は、長辺部と短辺部を有する矩形の活物質領域を備え、該活物質領域は、長辺部の端部から短辺の二等分線までの 距離Ｈ（最短距離）が１００ｍｍ以下に形成されているといえる。
【００８５】
このように、同じサイズの電池缶に、大きな面積の蓄電部材を一個収容した比較例１（二次電池ＲＢ５に相当）と、半分の面積の蓄電部材を二個所定距離離間して設置した実施例１（二次電池ＲＢ４に相当）と、における電解液の注液時間を測定し比較した。その結果を表１に示す。
【００８６】
【表１】
0005709517.tif 000002
【００８７】
表１に示すように、比較例１では電解液の注液時間は８時間（８Ｈ）掛かるが、本実施形態に係る実施例１では、３時間（３Ｈ）で注液できることが明らかとなった。全体の電極板の面積は同じであるが、二分割式とし、これらを同一平面上で所定距離離間して設置することで、注液時間を１／２以下にできることが判った。
【００８８】
このように、短辺が２２０ｍｍの蓄電要素では電解液の注液時間が長くなってしまうので、一個の蓄電要素の大きさを、長辺部の端部から短辺の二等分線までの距離（最短距離）を１００ｍｍ以下とすることで、電極群の中央部に電解液が浸透する時間が長くなり過ぎることを抑制し、電極群の内部まで電解液を速やかに浸透させることができる。すなわち、電解液が浸透するのは活物質領域であるので、この活物質領域は、長辺部の端部から短辺の二等分線までの距離（最短距離）が１００ｍｍ以下であることが好ましいといえる。
【００８９】
次に、外部端子に電圧検出線を接続した実施形態について図５を用いて説明する。
【００９０】
図５には、電極群１Ａが備える外部端子６Ａａ、６Ａｂ、および、電極群１Ｂが備える外部端子６Ｂａ、６Ｂｂにそれぞれ電圧検出線２２（２２Ａ、２２Ｂ）を接続した二次電池ＲＢ６を示している。またこれらの電圧検出線２２は制御部２１に一括に入力される。
【００９１】
制御部２１は、外部端子６Ａａ、６Ａｂに接続された電圧検出線２２（２２Ａ）を介して電極群１Ａの電圧を検知して、発電量（放電容量）および蓄電量（充電容量）を推定し、外部端子６Ｂａ、６Ｂｂに接続された電圧検出線２２（２２Ｂ）を介して電極群１Ｂの電圧を検知して、発電量（放電容量）および蓄電量（充電容量）を推定する。
【００９２】
また、制御部２１は、外部端子と外部機器（電力使用部２６）とを電気的に接続する接続部２４の切り替えを制御する機能を有する。また、接続部２４は、接続回路２３を介して制御部２１と接続され、接続回路２５を介して電力使用部２６と接続されている。そのために、それぞれの電圧検出線２２（２２Ａ、２２Ｂ）を介して、検出した電圧を基に、それぞれの蓄電要素の電池容量を推定することができ、予め定める電池容量を下回る蓄電要素を電気的に切り離す制御を行うことができる。
【００９３】
このような構成であれば、制御部２１を介して、それぞれの蓄電要素が正常な電池容量を発揮しているか否かを判定可能となり、正常な蓄電要素のみを組み合わせて使用して、所定の電力を発揮する制御を行うことができる。また、そのために、複数の蓄電要素を一体に収容した構成の二次電池において、ある蓄電要素が劣化したり故障したりして、正常な電池容量を発揮しなくなったとしても、正常な電池容量を発揮しているその他の蓄電要素を用いて外部機器を使用することが可能であるため、使い勝手がよく利便性の高い二次電池となる。
【００９４】
このように、一つの電池缶に複数の蓄電要素を収容した構成であっても、異常が発生した蓄電要素を検知すると速やかに切り離す制御を行って、その他の正常な蓄電要素を使用することできるので、電池缶の使用可能な期間を延ばすことができ、二次電池としての寿命が長くなる効果を発揮する。
【００９５】
次に、一つの電池缶内に二個の蓄電要素を平面上に所定距離離間して収容し、それぞれに外部端子を設け、電圧検出線を用いて制御部に接続した本実施形態品（実施例Ａ１）と、一つの電池缶内に二個の蓄電要素を上下に重ね合わせて、それぞれに外部端子を設け、電圧検出線を用いて制御部に接続した比較品（比較例Ｂ１）と、一つの電池缶内に二個の蓄電要素を平面上に所定距離離間して収容し、共通の外部端子を設け、電圧検出線を用いて制御部に接続した比較品（比較例Ｂ２）と、一つの電池缶内に一個の大型の蓄電要素を収容し、外部端子を電圧検出線を用いて制御部に接続した比較品（比較例Ｂ３）と、を用いて、電池容量の保持率を測定した実験について説明する。
【００９６】
実験は、前述した二次電池ＲＢ４が備える電極群１Ａ、１Ｂを用いて、実施例Ａ１、比較例Ｂ１、比較例Ｂ２を作製し、これらが備える二個の蓄電要素の一方に、短絡要因素子となる金属片（直径１ｍｍ、長さ１０ｍｍのアルミ棒）を混入して充放電を繰り返し、電池容量の保持率を測定してサイクル特性を調べる異物混入試験である。ただし、比較例Ｂ１は、下部の蓄電要素に金属片を混入している。また、比較例Ｂ３は、前述した二次電池ＲＢ５が備える電極群１ＡＢを用いた一個の大型の蓄電要素内に同じ金属片を混入して実験を行った。
【００９７】
図１０Ａは実施例Ａ１に相当する二次電池を用いた制御システムの概要（平面図）を示し、図１０Ｂに比較例Ｂ１に相当する二次電池を用いた制御システムの概要（断面図）を示し、図１０Ｃに比較例Ｂ２に相当する二次電池を用いた制御システムの概要（平面図）を示し、図１０Ｄに比較例Ｂ３に相当する二次電池を用いた制御システムの概要（平面図）を示す。また、図１１Ａ〜図１１Ｃに電池容量の保持率を測定した実験の結果を示す。
【００９８】
図１０Ａに示す実施例Ａ１は、一つの電池缶内に二個の蓄電要素（電極群１Ａ、１Ｂ）を平面上に所定距離離間して収容し、それぞれに外部端子を設け、電圧検出線２２を用いて制御部２１に接続している。図１０Ｂに示す比較例Ｂ１は、一つの電池缶内に二個の蓄電要素（電極群１Ａ、１Ｂ）を上下二重ね合わせて収容し、それぞれに外部端子を設け、電圧検出線２２を用いて制御部２１に接続している。図１０Ｃに示す比較例Ｂ２は、一つの電池缶内に二個の蓄電要素（電極群１Ａ、１Ｂ）を平面上に所定距離離間して収容し、共通の外部端子を設け、電圧検出線２２を用いて制御部２１に接続している。また、図１０Ｄに示す比較例Ｂ３は、一つの電池缶内に一個の蓄電要素（電極群１ＡＢ）を収容し、外部端子に接続する電圧検出線２２を介して制御部２１に接続している。
【００９９】
それぞれの外部端子は、図５に記載した接続部２４と接続回路２５を介して充放電装置（図５の電力使用部に替えて設置される）に接続されており、充放電装置は接続回路２３を介して制御部２１に接続されている。そのために、接続回路２５が充放電回路となり、この充放電装置と制御部２１を介して充放電サイクルを繰り返しながら電池容量を測定し、短絡要因素子が混入された蓄電要素が、予め定める所定の容量保持率を下回ると、その蓄電要素を切り離す制御を行った。また、所定の容量保持率は、６０％、７０％、８０％の三種類とした。
【０１００】
図１１Ａは、容量保持率８０％を下回ると切り離す制御を行った実験結果であって、実施例Ａ１は、容量保持率が８０％以下となって異常と判断された一方の蓄電要素を切り離しても、その後１０００サイクルまで４５％の容量保持率を維持していることが判った。しかし、比較例Ｂ２、Ｂ３は、外部端子が１セットしかないため、蓄電システム全体が切断されたことを示している。
【０１０１】
比較例Ｂ１は、６００サイクル当りまでは、容量保持率４０％を維持しているが、その後徐々に低下している。これは、二個の蓄電要素を重ね合わせた構成であるので、蓄電要素が厚い状態に相当して、上部の電解液が不足気味になる等して、サイクル特性が悪化しているものと思われる。
【０１０２】
図１１Ｂは、容量保持率７０％を下回ると切り離す制御を行った実験結果であるが、この図からも明らかなように、実施例Ａ１は、蓄電システムを長期間使用可能であることを示している。また、比較例Ｂ１は、ある程度の期間は使用可能であるが、実施例Ａ１と比較して徐々に電池容量が低下しているのが判る。
【０１０３】
図１１Ｃは、容量保持率６０％を下回ると切り離す制御を行った実験結果である。容量保持率が６０％に低下するまで充放電を繰り返すと、異物を混入していない蓄電要素も徐々に劣化しているため、実施例Ａ１、比較例Ｂ１でも容量保持率が低下傾向にある。しかし、実施例Ａ１が長寿命化を図れることは明らかである。
【０１０４】
図１１Ａ〜図１１Ｃに示す実験結果から、複数の蓄電要素を同一平面上に所定間隔離間して絶縁状態で並設し、それぞれの蓄電要素に対応して外部端子を設ける本実施形態に係る構成の二次電池は、長時間使用可能な蓄電システムを構築できることが判った。
【０１０５】
また、実施例Ａ１と比較例Ｂ３とで電解液注液後のインピーダンス測定による電解液浸み込み確認テストについて図１２を用いて説明する。
【０１０６】
蓄電要素の電極間に電解液が十分浸透すると、電極間のインピーダンスが低下するので、外部端子を介して蓄電要素のインピーダンスを測定することで、蓄電要素の内部まで電解液が浸透しているか否かが判定できる。
【０１０７】
図１２は、横軸に注液時間（比較例３で目標インピーダンスに到達するまでの注液時間を１００％としている）を示し、縦軸に測定されたインピーダンス（単位ｍΩ）を示している。また、比較例３で測定したインピーダンスがほぼ一定となった値を目標インピーダンスと定め、この目標インピーダンスに到達した時間を実施例１の注液時間とした。
【０１０８】
図中に示す比較例Ｂ３のインピーダンス曲線ＩＰ３は、時間Ｔ３で目標インピーダンスに到達している。すなわち時間Ｔ３が比較例Ｂ３の注液時間となる。実施例Ａ１のインピーダンス曲線ＩＰ１は、時間Ｔ１で目標インピーダンスに到達している。すなわち時間Ｔ１が実施例Ａ１の注液時間であって、時間Ｔ３の略４０％程度の時間（前述した１／２以下に相当）であることが判る。
【０１０９】
このように、電池缶を構成する外装ケースの同一平面上に、所定サイズの複数の蓄電要素を所定間隔離間して並設する本実施形態によれば、電解液の注液時間を短縮可能であることが明らかとなった。
【０１１０】
上記した実施例Ａ１で採用した本実施形態に係る二次電池の制御システムは、二次電池が備える複数の蓄電要素にそれぞれ設ける外部端子と外部機器とを電気的に接続する接続部２４と、該接続部２４の切り替えの制御と、外部端子に接続する電圧検出線２２を介して蓄電要素の出力電圧を認識して当該蓄電要素の異常を検知する機能を有する制御部２１と、を設け、制御部２１が異常を検知したときに、当該蓄電要素の接続部２４を電気的に切り離すようにしている。
【０１１１】
このような制御システムであれば、制御部２１を介して、各蓄電要素の正常・異常を確認することができ、異常と確認された蓄電要素を切り離すことで、安定した電池容量を得る制御を行うことが可能となって、複数の蓄電要素を効率よく使用可能とする二次電池の制御システムを得ることができる。
【０１１２】
次に、図１３を用いて、本実施形態に係る二次電池のリースシステムについて説明する。図１３に示すように、制御部２１に通信部２７を接続している。通信部２７はインターネット網２８と通信可能な通信部であるので、制御部２１の検知情報をインターネット網２８を介して予め定める通信先（使用者２９および管理会社３０）に通知可能となる。
【０１１３】
使用者２９は二次電池管理会社３０とこの二次電池のリース契約を結んでおり、二次電池管理情報として、物品毎の型番、リース費用、リース満了日などの基本情報の他に、充放電履歴情報を蓄積している。そのために、制御部２１が、規定の容量以下となった蓄電要素を検知したときに、その旨（二次電池の異常情報）を、使用者２９、および管理会社３０に直ちに伝えることができる。また、二次電池管理会社３０は、当該異常情報以外に二次電池管理情報を制御部２１から受け、リース中の二次電池を交換するまでの間に使用可能な電池容量および充放電回数（二次電池利用日数）をユーザーに説明でき、当該物品の交換などの手配を行うことができる。
【０１１４】
このように、二次電池が備える複数の蓄電要素にそれぞれ設ける外部端子と外部機器とを電気的に接続する接続部と、該接続部の切り替えの制御と、前記外部端子に接続する電圧検出線を介して前記蓄電要素の出力電圧を認識して当該蓄電要素の異常を検知する機能を有する制御部２１と、該制御部２１に接続されインターネット網２８と通信可能な通信部２７とを設け、制御部２１が異常を検知したときに、通信部２７を介して、当該二次電池の使用者２９にその異常情報を通知すると同時に、インターネット網２８を経由して当該二次電池の管理会社３０にその異常情報および管理情報を通知するリースシステムであれば、二次電池に不具合が生じて規定容量以下となった情報を使用者（ユーザー）に伝えると同時に、二次電池管理会社に伝えることで、管理が容易となって、使い勝手がよく利便性の高い二次電池のリースシステムを構築することができる。
【０１１５】
上記したように、本発明に係る二次電池によれば、外装ケースの同一平面上に、複数の蓄電要素を所定間隔離間して絶縁状態で並設し、それぞれの蓄電要素に対応する正負の外部端子をそれぞれ設けた構成としたので、複数の蓄電要素を備えた二次電池であっても、製造コストを低減し、それぞれの蓄電要素が有する電極群の内部まで電解液を速やかに浸透させることができ、使い勝手がよく利便性の高い二次電池を得ることができる。
【０１１６】
また、複数の蓄電要素を同一の電池缶に収容するので、電池缶の製造コストを低減でき、比較的小型に分割される蓄電要素のハンドリング性が良好となって短絡などの弊害が生じずに歩留まりが悪化しないことと併せて製造コストを低減することができる。
【０１１７】
また、本発明に係る二次電池の制御システムによれば、外部端子に接続した電圧検出線を介してそれぞれの蓄電要素の異常を検知して、電気的に切り離す制御を行うことで、複数の蓄電要素を効率よく使用可能とする二次電池の制御システムを得ることができる。
【０１１８】
また、本発明に係る二次電池のリースシステムによれば、制御部をインターネット網と通信可能な通信部に接続することで、二次電池に不具合が生じて規定容量以下となった情報および二次電池管理情報を二次電池管理会社に伝えることで、管理することが容易となり、使い勝手がよく利便性の高い二次電池のリースシステムを構築することができる。
【産業上の利用可能性】
【０１１９】
そのために、本発明に係る二次電池、その制御システム、そのリースシステムは、大型化および性能安定化が求められる大容量の蓄電池、その制御システム、およびそのリースシステムに好適に利用可能となる。
【符号の説明】
【０１２０】
１（１Ａ、１Ｂ）    電極群（蓄電要素）
２    正極板
３    負極板
４    セパレータ
５    集電リード
６Ａａ〜６Ｂｂ  外部端子
７Ａ、７Ｂ  スペーサ
８Ａ、８Ｂ  スペーサ
１０    電池缶
１１    外装ケース
１２    蓋部材
２１    制御部
２２（２２Ａ、２２Ｂ）  電圧検出線
２４    接続部
２７    通信部
２８    インターネット網
２９    二次電池使用者（ユーザー）
３０    二次電池管理会社
Ｌ１    離間距離（所定間隔）
ＲＢ、ＲＢ１〜ＲＢ６    二次電池
【図１】
0005709517.tif 000003
【図２】
0005709517.tif 000004
【図３Ａ】
0005709517.tif 000005
【図３Ｂ】
0005709517.tif 000006
【図４Ａ】
0005709517.tif 000007
【図４Ｂ】
0005709517.tif 000008
【図５】
0005709517.tif 000009
【図６】
0005709517.tif 000010
【図７】
0005709517.tif 000011
【図８】
0005709517.tif 000012
【図９】
0005709517.tif 000013
【図１０Ａ】
0005709517.tif 000014
【図１０Ｂ】
0005709517.tif 000015
【図１０Ｃ】
0005709517.tif 000016
【図１０Ｄ】
0005709517.tif 000017
【図１１Ａ】
0005709517.tif 000018
【図１１Ｂ】
0005709517.tif 000019
【図１１Ｃ】
0005709517.tif 000020
【図１２】
0005709517.tif 000021
【図１３】
0005709517.tif 000022